(57)【要約】　　　（修正有）【課題】ディジタルデータ確実に、且つ安定して伝送でき、使用寿命の長いコネクタモジュールを提供する。【課題手段】ソケット部２と、プラグヘッド１とによってなり、該ソケット部は、前端に該プラグヘッドの接続端が挿入する溝が形成されたべ一ス２１と、該ソケット部の前端を覆うハウジング２２と、該べ一スの溝内に設けられる少なくとも１以上の接続端子２３１、２３２と、該ソケット部の前端に設けられ、電力を伝送するコの字状端子２３、２３’と、及び該ソケット部の前端に設けられ、電力を伝送する円形のポート２１４とによって構成され、該プラグヘッドは、該プラグ部に接続する挿入べ一ス部１５と、該挿入べ一スの挿入端に形成される凹溝１５３内に設けられる少なくとも１以上の接続端子と、該挿入べ一スに設けられ、該プラグ部に係合する２つの係合部材１３、１３’と、伝送ケーブル１４と、及び該プラグヘッドを覆う上下カバー１１、１２とによって構成する。【選択図】図１
0003097362.tif 000002
【実用新案登録請求の範囲】
【請求項１】
デバイス側に設けられるソケット部と、ケーブルに接続するプラグヘッドとによってなり、
該ソケット部は、前端に該プラグヘッドの接続端が挿入する溝が形成されたべースと、金属によってなり該ソケット部の前端を覆うハウジングと、該べースの溝内に設けられ、該プラグヘッドの接続端と電気的に接続してディジタル信号の伝送を行なう少なくとも１以上の接続端子と、該ソケット部の前端に設けられ、電力を伝送する端子との電気的な接続が可能な２つのコの字状端子と、該ソケット部の前端に設けられ、電力を伝送する端子と電気的に接続する円形のポートとによって構成されることを特徴とするコネクタモジュール。
【請求項２】
前記ソケット部のべースに形成する溝内に突起ブロックを形成し、ディジタルデータを伝送する複数の接続端子を挿設することを特徴とする請求項１に記載のコネクタモジュール。
【請求項３】
前記コの字状端子は、該ソケット部のべースに形成する溝の両側の対応する位置に開口部を形成し、該開口部内に挿設して電力の陽、陰極の伝送通路とすることを特徴とする請求項１記載のコネクタモジュール。
【請求項４】
ポート内には少なくとも２上の端子が設けられ、それぞれの端子を電力の陽、陰極の伝送通路とすることを特徴とする請求項１に記載のコネクタモジュール。
【請求項５】
デバイス側に設けられるソケット部と、ケーブルに接続するプラグヘッドとによってなり、
該プラグヘッドは、該プラグ部に接続する挿入べース部と、該挿入べースの挿入端に形成される凹溝内に設けられ、該プラグ部と電気的に接続してディジタルデータの伝送を行なう少なくとも１以上の接続端子と、該挿入べースに設けられ、該プラグ部に係合する２つの係合部材と、
該接続端子の伝送するディジタルデータを端末に伝送する伝送ケーブルと、
該プラグヘッドを覆う上下カバーとによって構成されることを特徴とするコネクタモジュール。
【請求項６】
前記プラグヘッドの上カバーに、該２つの係合部材を連動させる押し圧部を設けることを特徴とする請求項６に記載のコネクタモジュール。
【請求項７】
前記係合部材が可撓性を有する弾性部材であることを特徴とする請求項６に記載のコネクタモジュール。
【考案の詳細な説明】
【０００１】
【考案の属する技術分野】
【０００２】
この考案はコネクタモジュールに関し、電子製品に接続してディジタルデータの伝送と電力の蓄積とを整合して供給するためのコネクタモジュールに関する。
【従来の技術】
【０００３】
コネクタは電気信号の伝送のために用いられる一種の接続プラグであって、例えば信号の発信側と該信号を受信する各種の電器、電子装置とを接続して、該電器、もしくは電子装置の必要とする信号、または電力を供給する。よって、プラグをソケットに挿入して接続する構造において、かかる接続構造の強度を高め、安定した電気的接続を保持することは極めて重要である。
【０００４】
従来のコネクタは、接続構造について言えば、接続端子自体に材質と構造によって一種の制限が形成され、さらにソケット側とプラグ側の精密なサイズの差によって、両者側が接続する際に緊密に圧接して接続を保持する。
【０００５】
当業者が熟知するように、コネクタ本体はプラスチック材を射出成型してなる。但し、ブラスチック材は、熱膨張、収縮現象が発生するため、射出成型における誤差の抑制にも範囲が限られている。したがって、プラグ側とソケット側の精密なサイズの差によって緊密な圧接を形成するコネクタは、生産上の歩留まりが低下してコストが嵩む。
【０００６】
また、接続端子を電子装置などのソケット側に挿入して圧接させた場合、該接続端子はかなりの圧力を受ける。よって、接続端子が容易に変形し、コネクタの接続効果に影響を与える場合がある。これがデータ伝送の安定性に影響を与える原因の１つになる。
【０００７】
【考案が解決しようとする課題】
この考案は、接続端子の使用寿命を延長することができるとともに、ディジタルデータ確実に、且つ安定して伝送することができるコネクタを提供することを課題とする。
【０００８】
また、この考案は、歩留まりを高めて生産コストを低減することのできるコネクタを提供することを課題とする。
【０００９】
【課題を解決するための手段】
そこで、本考案者は従来の技術に見られる欠点に鑑みて鋭意研究を重ねた結果、デバイス側に設けられるソケット部と、ケーブルに接続するプラグヘッドとによってなり、該ソケット部は、前端に該プラグヘッドの接続端が挿入する溝が形成されたべースと、金属によってなり該ソケット部の前端を覆うハウジングと、該べースの溝内に設けられ、該プラグヘッドの接続端と電気的に接続してディジタル信号の伝送を行なう少なくとも１以上の接続端子と、該ソケット部の前端に設けられ、電力を伝送する端子との電気的な接続が可能な２つのコの字状端子と、及び該ソケット部の前端に設けられ、電力を伝送する端子と電気的に接続する円形のポートとによって構成され、該プラグヘッドは、該プラグ部に接続する挿入べース部と、該挿入べースの挿入端に形成される凹溝内に設けられ、該プラグ部と電気的に接続してディジタルデータの伝送を行なう少なくとも１以上の接続端子と、該挿入べースに設けられ、該ブラグ部に係合する２つの係合部材と、該接続端子の伝送するディジタルデータを端末に伝送する伝送ケーブルと、及び該プラグヘッドを覆う上下カバーとによって構成されるコネクタモジュールの構造によって本考案の課題を解決できる点に着眼し、かかる知見に基づいて本考案を完成させた。
【００１０】
以下この考案について詳細に説明する。
請求項１に記載するコネクタモジュールは、デバイス側に設けられるソケット部と、ケーブルに接続するプラグヘッドとによってなり、
該ソケット部は、前端に該プラグヘッドの接続端が挿入する溝が形成されたべースと、金属によってなり該ソケット部の前端を覆うハウジングと、該べースの溝内に設けられ、該プラグヘッドの接続端と電気的に接続してディジタル信号の伝送を行なう少なくとも１以上の接続端子と、該ソケット部の前端に設けられ、電力を伝送する端子との電気的な接続が可能な２つのコの字状端子と、該ソケット部の前端に設けられ、電力を伝送する端子と電気的に接続する円形のポートとによって構成される。
【００１１】
請求項２に記載するコネクタモジュールは、請求項１におけるソケット部のべ一スに形成する溝内に突起ブロックを形成し、ディジタルデータを伝送する複数の接続端子を挿設する。
【００１２】
請求項３に記載するコネクタモジュールは、請求項１におけるコの字状端子が、該ソケット部のべースに形成する溝の両側の対応する位置に開口部を形成し、該開口部内に挿設して電力の陽、陰極の伝送通路とする。
【００１３】
請求項４に記載するコネクタモジュールは、請求項１におけるポート内に少なくとも２以上の端子が設けられ、それぞれの端子を電力の陽、陰極の伝送通路とする。
【００１４】
請求項５に記載するコネクタモジュールは、デバイス側に設けられるソケット部と、ケーブルに接続するプラグヘッドとによってなり、
該プラグヘッドは、該プラグ部に接続する挿入べース部と、
該挿入べースの挿入端に形成される凹溝内に設けられ、該プラグ部と電気的に接続してディジタルデータの伝送を行なう少なくとも１以上の接続端子と、
該挿入べースに設けられ、該プラグ部に係合する２つの係合部材と、
該接続端子の伝送するディジタルデータを端末に伝送する伝送ケーブルと、
該ブラグヘッドを覆う上下カバーとによって構成される。
【００１５】
請求項６に記載するコネクタモジュールは、請求項５におけるプラグヘッドの上カバーに、該２つの係合部材を連動させる押し圧部を設ける。
【００１６】
請求項７に記載するコネクタモジュールは、請求項６における係合部材が可撓性を有する弾性部材である。
【００１７】
【考案の実施の形態】
この考案は、電子製品に接続してディジタルデータの伝送と電力の蓄積とを整合して供給するためのコネクタモジュールを提供するものであって、べースと、金属によってなるハウジングと、該べースの溝内に設けられる接続端子と、電力を伝送する端子との電気的な接続が可能な２つのコの字状端子と、電力を伝送する端子と電気的に接続する円形のポートとによってなるプラグ部と、及び挿入べース部と、該挿入べースの挿入端に形成される凹溝内に設けられる接続端子と、該挿入べースに設けられる係合部材と、伝送ケーブルと、上下カバーとによってなるプラグヘッドとによってコネクタモジュールを構成する。
かかるコネクタモジュールの構造と特徴を詳述するために、具体的な実施例を挙げ、図示を参照にして以下に詳述する。
【００１８】
【実施例】
図１，２，３に、この考案によるコネクタモジュールを開示する。図面によれば、プラグヘッド（１）と、ソケット部（２）とによってコネクタモジュールを構成する。該ソケット部（２）は、溝が形成されたべース（２１）と、金属によってなるハウジング（２２）と、コの字状に形成される端子（２３）（２３’）と、複数の接続端子（２３１）（２３２）と、電力端子（２３３）と、及び圧接端子（２３４）とによってなる。
【００１９】
該べース（２１）は、プラグヘッド（１）の挿入べース部（１５）（図４参照）に対応する溝（２１１）を側面に形成し、かつ該溝（２１１）中央の位置に突起ブロック（２１２）を形成し、複数の接続端子（２３２）を挿設する。該突起ブロック（２１２）は、挿入べース（１５）の凹溝（１５３）に対応させて形成し、プラグヘッド（１）とソケット部（２）とを接続する場合、該凹溝（１５３）に挿入されてプラググヘッド（１）の接続端子（１６）に電気的に接続させる。
【００２０】
また、該溝（２１１）の左右両側の対応する位置には、開口部（２１３）（２１３’）を形成し、コの字の端子（２３）（２３’）を該開口部（２１３）（２１３’）内に挿設する。該端子（２３）（２３’）は電力の陽、陰極の伝送通路とし、電力を蓄積するために提供する。また、ソケット部（２）は該端子（２３）（２３’）によって電力の伝送をコネクタに整合してソケット部（２）を設けるデバイス端の必要とする電力を提供する。
【００２１】
ソケット部（２）のべース（２１）には、別途円形のポート（２１４）を形成し、該ポート（２１４）は背面該にべース（２１）を貫通する貫通孔（２１６）を穿設け、さらに貫通溝（２１５）を内壁面に形成する。該貫通孔（２１６）には電源端子（２３３）を設け、かつ当止柱（２１８）を設けて固定する。また、貫通溝（２１５）には圧接端子（２３４）を嵌設し、かつ底部に当止ブロック（２３４２）を形成して圧接端子（２３４）を貫通溝（２１５）嵌設する場合の位置決めに用いる。該圧接端子（２３４）には弾性部（２３４１）を形成する。
【００２２】
上述のポート（２１４）に、電源アダプタの差込みヘッド（３）を挿入すると、差込ヘッド（３）の一方の電極と電源端子（２３３）が接触し、かつ他の電極が圧接端子（２３４）の弾性部（２３４１）に半接して電力を提供する。即ち、電力の伝送をコネクタモジュールのソケット部（２）に整合する。また、ソケット部（２）のべース（２１）を内壁面に形成する。該貫通孔（２１７）を形成し、且つそれぞれのスリット（２１７）には、接続と固定を目的として接続端子（２３１）を嵌設ける。
【００２３】
図４に開示するように、プラグヘッド（１）は、上カバー（１１）と、下カバー（１２）とによって形成される空間内に挿入べース（１５）と、複数の端子（１６）と、左右対称の係合部材（１３）（１３’）と、及び伝送ケーブル（１４）とによって構成される。
【００２４】
上カバー（１１）の上部表面には、略中央の位置に該係合部材（１３）（１３’）を連動させる押圧部（１１）を形成する。該係合部材（１３）（１３’）は、可撓性を有する弾性部材であって、挿入べース（１５）の両側面に形成するスリット（１５２）と、上面の両端縁部に形成する嵌着溝（１５１）（１５１’）とにそれぞれ嵌設し、ブラグヘッド（１）をソケット部（２）に挿入して接続した場合に係合してディジタルデータを伝送する場合、プラグが外れてデータを遺失したり、伝送にエラーが発生したりすることを防ぐ。
【００２５】
また、挿入べ一ス（１５）の背面側には、複数の接続端子（１６）を嵌設する。
該接続端子（１６）は、一端が挿入べース（１５）の挿入端から内部に形成した凹溝（１５３）内に位置する。プラグヘッド（１）がソケット部（２）に挿入する場合、該凹溝（１５３）にソケット部（２）のべース（２１）に形成した溝（２１１）の突起ブロック（２１２）が嵌挿され、挿入べース（１５）の前端に形成したテーパ状の当止部（１５４）が嵌挿位置の位置決めの作用を達成する。この場合、図６に開示するように接続端子（１６）と接続端子（２３２）とが接続し、それぞれの接続端子（１６）は、伝送ケーブル（１４）から伝送されるディジタルの出力、もしくは入力を行なう。
【００２６】
図５，６に開示するように、プラグヘッド（１）とソケット部（２）とが接続する場合、挿入べース（１５）の凹溝（１５３）が、対応するべース（２１）に形成した溝（２１１）の突起ブロック（２１２）に嵌挿する。また、挿入べース（１５）前端の当止部（１５４）が前方に推されて位置決めすると、係合部材（１３）（１３’）は、ハウジング（２２）内に形成される係合接壁（２２１）に係合する。同時に接続端子（１６）は接続端子（２３２）と電気的接続を形成してディジタルデータの出力、もしくは入力を行なう。
【００２７】
プラグヘッド（１）とソケット部（２）との接続を解除する場合は、プラグヘッド（１）に形成した押圧部（１１１）を押し圧すると、係合部材（１３）（１３’）が連動して下方に押し圧されて係合壁（２２１）から離れ、プラグヘッド（１）がソケット部（２）から離れることができる状態になる。
【００２８】
以上の構造によるコネクタは、プラグヘッド（１）とソケット部（２）とを確実に接続することができ、従来の技術に見られるように接続端子の圧接を必要としない、よって、この考案においては、接続端子（１６）（２３２）の使用寿命を延長することができるとともに、ディジタルデータを確実に伝送することができる。
【００２９】
図７に、この考案におけるソケット部の他の実施形態を開示する。図面によれば、ソケット部（２’）は、図１に開示するコネクタモジュールのソケット部（２）と略同様であるが、図１のソケット部（２）の一端に設けるポート（２１４）と、関連する構造部を設けることなく、電源端子（２３３）と、圧接端子（２３４）を含んでなる。電力は、溝（２１１）の両端縁に形成するコの宇状の端子（２３）（２３’）を介して伝送する。よって、従来のアダプタの円形の差込みヘッド（３）を接続することはできない。この実施形態によるプラグヘッド（１）とソケット部（２’）の接続方式は、図１に開示するコネクタモジュールと同様である。かかる実施形態は、製品の実施形態の選択範囲を広げることを目的とする。
【００３０】
以上はこの考案の好ましい実施例であって、この考案の実施の範囲を限定するものではない。よって、当業者のなし得る修正、もしくは変更であって、この考案の精神の下においてなされ、かつこの考案に対して均等の効果を有するものは、いずれもこの考案の実用新案登録請求の範囲に属するものとする。
【００３１】
【考案の効果】
この考案によるコネクタモジュールによれば、プラグヘッドとソケット部との確実な接続が得られ、安定したディジタルデータの伝送を行なうことができる。
【００３２】
また、この考案によるコネクタモジュールは、接続端子の使用寿命を延長させる効果を具える。
【００３３】
さらに、この考案によれば製品の歩留まりが高まり、相対的にコストを低減させる効果を具える。
【図面の簡単な説明】
【図１】この考案によるコネクタモジュールの斜視図である。
【図２】図１に開示するコネクタモジュールのソケット部の分解図である。
【図３】図１に開示するコネクタモジュールのソケット部の他の分解図であ
る。
【図４】図１に開示するコネクタモジュールのプラグヘッドの分解図である。
【図５】図１に開示するコネクタモジュールの平面図である。
【図６】図１に開示するコネクタモジュールの接続状態を表わす側面断面図である。
【図７】この考案の他の実施形態によるコネクタモジュールの斜視図である。
【符号の説明】
１　プラグヘッド
１１　上カバー
１１１　押圧部
１２　下カバー
１３，１３’　係合部材
１４　伝送ケーブル
１５　挿入ベース
１５１，１５１’　嵌着溝
１５２　スリット
１５３　凹溝
１５４　当止部
１６　接続端子
２，２’　ソケット部
２１　ベース
２１１　溝
２１２　突起ブロック
２１３，２１３’　開口部
２１４　ポート
２１５　貫通溝
２１６　貫通孔
２１７　貫通孔
２１８　当止柱
２２　ハウジング
２３，２３’　端子
２３１，２３２　接続端子
２３３　電源端子
２３４　圧接端子
２３４１　弾性部
２３４２　当止ブロック
３　差込みヘッド
【図１】
0003097362.tif 000003
【図２】
0003097362.tif 000004
【図３】
0003097362.tif 000005
【図４】
0003097362.tif 000006
【図５】
0003097362.tif 000007
【図６】
0003097362.tif 000008
【図７】
0003097362.tif 000009
【手続補正書】
【提出日】平成15年5月28日(2003.5.28)
【手続補正１】
【補正対象書類名】明細書
【補正対象項目名】請求項６
【補正方法】変更
【補正の内容】
【請求項６】
前記プラグヘッドの上カバーに、該２つの係合部材を連動させる押し圧部を設けることを特徴とする請求項５に記載のコネクタモジュール。